(57)【特許請求の範囲】
【請求項１】
多数のチップ部品が水平な姿勢で積層状態に収納されるスティック状のケース下端部に取出口を有するマガジンケース本体と、
上記マガジンケース本体の上記取出口側に固定された上記チップ部品の抜け出しを防止するための板ばねからなるストッパー部材と、
上記ストッパー部材の下部に隣接して配置され、上記ストッパー部材を通過し押し出されたチップ部品を水平な姿勢に保持して排出するための、上記ストッパー部材と１つの板ばねで形成されたガイド部材と、から構成した
ことを特徴とするチップ部品のマガジンケース。
【請求項２】
請求項１記載のチップ部品のマガジンケースにおいて、
上記マガジンケース本体の内壁面に長手方向にリード端子が案内される溝を設けることで、リード端子なしチップ部品と、リード端子付きチップ部品とが収納できるようにした
ことを特徴とするチップ部品のマガジンケース。
【発明の詳細な説明】
【０００１】
【発明の属する技術分野】
本発明は、多数のチップ部品が積層状態に収納されるようにしたスティック状のマガジンケースに関し、詳しくは、マガジンケースの取出口にチップ部品のストッパー部材に隣接してガイド部材を備えたことによって、マウント時のチップ部品を正常な姿勢にマウントできるようにしたものである。
【０００２】
【従来の技術】
近年、チップ部品の超小型化の実現がますます可能になり、これに伴って、超小型のチップ部品を配線回路基板に高密度及び高精度にマウントするためのマウント装置も実用化されている。このため、マウント装置にあってチップ部品は、スティック状のマガジンケース内に整列して積層状態に多数収納され、マガジンケースの下端開口部からワンチップずつ押し出されて配線基板上にマウントされるようにされる。
【０００３】
上述したマガジンケースの一例を図６及び図７について説明する。
図６はマガジンケースの下端部分の斜視図であり、図７は同じく断面図である。
【０００４】
マガジンケース本体を符号１１で示す。このマガジンケース本体１１内には多数のチップ部品１２が整列して積層状態に収納されている。マガジンケース本体１１の下端一側部にはスリット溝１３が形成されており、マガジンケース本体１１にねじ１４ａで固定した取付板１４から一体に延びる板ばね１５をスリット溝１３を通じてマガジンケース本体１１内に挿入し、板ばね１５の先端部に曲げ形成したストッパー爪１６で最下部のチップ部品１２を保持している。詳しくは、最下部のチップ部品１２はストッパー爪１６の保持作用と共に、ストッパー爪１６のばね付勢力でマガジンケース本体１１の内壁面に押し当てることによって、チップ部品がマガジンケース本体１１から抜け落ちるのを防止している。
【０００５】
このように構成したマガジンケースは、マガジンケース本体１１の上端開口部より押しピン１７をワンチップ分押し下げることで、最下部のチップ部品１２がストッパー爪１６を通過して押し出され配線基板上にマウントされるようになっている。最下部のチップ部品１２が押し出されると、後続のチップ部品１２がストッパー爪１６によって保持される。
【０００６】
【発明が解決しようとする課題】
ところで、上述したマガジンケースでは、マガジンケース本体１１内に収納されたチップ部品１２は、ケース本体１１の内壁とは多少の余裕をもって収納されている。このため、チップ部品がワンチップ押し出される際に、チップ部品の周囲がケース壁面で囲まれていてもチップ部品が押し付けられていたストッパー爪１６から離れるときの反動により図７に示すように傾いた姿勢のチップ部品１２ａとなって押し出される。これによって、チップ部品が配線基板上のマウント位置に水平な姿勢でマウントされなかったり、あるいはマウント位置に位置がずれてマウントされることがあり、マウント技術の信頼性の点で課題があった。
【０００７】
本発明は、上述したような課題を解消するためになされたもので、チップ部品が水平な姿勢で押し出され、マウント位置に正常な姿勢で正確にマウントすることのできるチップ部品のマガジンケースを得ることを目的とする。
【０００８】
【課題を解決するための手段】
上記の目的を達成するため、本発明によるチップ部品のマガジンケースは、多数のチップ部品が水平な姿勢で積層状態に収納されるスティック状のケース下端部に取出口を有するマガジンケース本体と、そのマガジンケース本体の取出口側に固定されたチップ部品の抜け出しを防止するための板ばねからなるストッパー部材と、そのストッパー部材の下部に隣接して配置され、ストッパー部材を通過し押し出されたチップ部品を水平な姿勢に保持して排出するための、ストッパー部材と１つの板ばねで形成されたガイド部材と、から構成したものである。
【０００９】
このように構成したマガジンケースによれば、ストッパー部材を通過し押し出されたチップ部品はガイド部材によってガイドされ、水平な姿勢に保持された状態でガイド部材を通過して排出され配線基板上にマウントされる。この際、後続のチップ部品はストッパー部材に水平の姿勢で保持され待機される。
【００１０】
【発明の実施の形態】
以下、本発明によるチップ部品のマガジンケースの実施の形態の例をリード端子なしのチップ部品のマガジンケースについて図面を参照して説明する。
【００１１】
図１はマガジンケースのチップ部品取出口である下端部分の斜視図であり、図２は同じく断面図である。
【００１２】
マガジンケース本体を符号１で示す。マガジンケース本体１は例えばステンレス等の金属材からスティック状のケースに加工され、このマガジンケース本体１内には例えば、抵抗やコンデンサ等のリード端子のない多数のチップ部品２が水平に整列して積層状態に収納されている。マガジンケース本体１の下端一側部には開口部３が形成されており、マガジンケース本体１にねじ４ａ等で固定した取付板４から一体に延びる板ばね５が開口部３に対応して配置され、この板ばね５の先端中央部に開口部３側に向けてガイド爪６が形成されている。
【００１３】
また、上述した板ばね５の中央部から一体に別の板ばね７が開口部３内に向けて曲げ形成され、この板ばね７の先端部にストッパー部材であるストッパー爪８が屈曲形成されている。このストッパー爪８の下部に、上述したガイド爪（ガイド部材）６が隣接して配置するようにされている。これら、両板ばね５及び７は、例えばステンレスや燐青銅等の１枚の金属板材から一体成形されている。このため、両板ばね５，７の取付板４は溶接等によりマガジンケース本体１に固着することであってもよい。
【００１４】
マガジンケース本体１内に水平な姿勢で積層状態に収納されたチップ部品は、最下部のチップ部品２がストッパー爪８で保持される。詳しくは、最下部のチップ部品２はストッパー爪８の保持作用と共に、ストッパー爪８のばね付勢力でマガジンケース本体１の内壁面に押し当てることによって、チップ部品がマガジンケース本体１から抜け出るのを防止している。また、ガイド爪６はストッパー爪８を通過し押し出されたチップ部品２を、ガイド爪６とマガジンケース本体１の内壁面とでガイドし水平な姿勢に保持した状態で排出するようにされている。
【００１５】
次に、上述したマガジンケースの動作について説明する。
図２に示したチップ部品の収納状態において、マガジンケース本体１の上端開口部より押しピン９をワンチップの厚み分のストローク押し下げることによって、最下部のチップ部品２は図３に示すようにストッパー爪８を押し開いて押し下げられ、ここで、チップ部品２がストッパー爪８を通過する直前においてガイド爪６に受け渡されてガイドされ（チップ部品２ａの位置）、このあと、チップ部品２がストッパー爪８から通過しガイド爪６側に受け渡される（チップ部品２ｂの位置）。
【００１６】
かくして、ガイド爪６側に押し出されたチップ部品２は、ガイド爪６とマガジンケース本体１の内壁面とでガイドされ水平な姿勢に保持した状態で排出され配線基板上にマウントすることができる。この際、後続のチップ部品２は図２に示したようにストッパー爪８で保持され、抜け出しが防止される。
【００１７】
このように本発明によるマガジンケースは、チップ部品２のマウント動作において、マガジンケースからチップ部品２を水平な姿勢で押し出すことができるので、配線基板上のマウント位置に水平な姿勢を保持し、かつ位置ずれすることなく高い位置精度で確実にマウントすることができる。
【００１８】
また、チップ部品の取出口部分の一側部に開口部３が形成されている場合であっても、ガイド爪６を設けたことによってチップ部品を水平な姿勢を保持しマウントすることができる。
【００１９】
また、ガイド爪６を備えた板ばね５と、ストッパー爪８を備えた板ばね７とが１枚の板ばね部材から構成したことによって、部品点数が削減でき製作コストが安価にできると共に、組み立ても容易にできる。
【００２０】
ところで、マガジンケースに収納されるチップ部品は一般に図５Ａに示すようなリード端子のないチップ部品に適用されていたが、本発明では、図５Ｂに示したようにリード端子１０を有するチップ部品２Ａが収納可能なマガジンケースにすることもできる。
【００２１】
この場合のマガジンケースは、図１に示したマガジンケースにおいて、図４に示すようにマガジンケース本体１の壁面に各リード端子１０が案内される溝１ａをケースの長手方向に沿って形成することによって可能となり、開口部３の部分においては板ばね５の外側とマガジンケース本体１との隙間g をリード端子１０が案内されることになる。
【００２２】
このように構成したリード端子付きチップ部品のマガジンケースの場合もリード端子なしチップ部品の場合と同様に、配線基板上のマウント位置に水平な姿勢で、かつ位置ずれすることなく高い位置精度で確実にマウントすることができる。
【００２３】
また、マガジンケース本体１の壁面にリード端子１０が案内される溝１ａを形成したマガジンケースを製作しておくことによって、リード端子なしチップ部品及びリード端子付きチップ部品のマガジンケースのいずれにも使用することができる。
【００２４】
本発明は上述しかつ図面に示した実施の形態の例に限定されるものでなく、その要旨を逸脱しない範囲内で種々の変形実施が可能である。
【００２５】
本例ではリード端子なしチップ部品及びリード端子付きチップ部品のいずれにかかわらず角形のチップ部品について説明したが、その他、円筒形あるいは球形等の種々の形状のチップ部品のマガジンケースに広く適用可能である。
【００２６】
【発明の効果】
以上説明したように、本発明によるチップ部品のマガジンケースは、多数のチップ部品が水平な姿勢で積層状態に収納されるスティック状のケース下端部に取出口を有するマガジンケース本体と、そのマガジンケース本体の取出口側に固定されたチップ部品の抜け出しを防止するための板ばねからなるストッパー部材と、そのストッパー部材の下部に隣接して配置され、ストッパー部材を通過し押し出されたチップ部品を水平な姿勢に保持して排出するための、ストッパー部材と１つの板ばねで形成されたガイド部材と、を備えたことによって、マガジンケースからチップ部品を水平な姿勢を保持して押し出すことができ、配線基板上のマウント位置に水平な姿勢で、かつ位置ずれすることなく高い位置精度で確実にマウントすることができる。これによって、チップ部品マウント装置に使用して信頼性の高いマガジンケースとなる。
【図面の簡単な説明】
【図１】本発明によるマガジンケースの下端部分の外観斜視図である。
【図２】チップ部品が収納状態のマガジンケースの下端部分の断面図である。
【図３】チップ部品が押し出される様子のマガジンケースの断面図である。
【図４】リード端子付きチップ部品の収納状態の断面図である。
【図５】Ａ  リード端子なしチップ部品の斜視図である。
Ｂ  リード端子付きチップ部品の斜視図である。
【図６】従来のマガジンケースの下端部分の外観斜視図である。
【図７】従来のチップ部品が押し出される様子のマガジンケースの断面図である。
【符号の説明】
１…マガジンケース本体、２，２ａ，２ｂ…チップ部品、３…開口部、５…板ばね、６…ガイド爪、７…板ばね、８…ストッパー爪、９…押しピン、２Ａ…リード端子付きチップ部品、１ａ…リード端子が案内される溝
【図１】
0004172069.tif 000002
【図２】
0004172069.tif 000003
【図３】
0004172069.tif 000004
【図４】
0004172069.tif 000005
【図５】
0004172069.tif 000006
【図６】
0004172069.tif 000007
【図７】
0004172069.tif 000008